(57)【要約】【課題】  エレベータかご室の側壁１に鏡２をねじ２ａで固定するタイプのエレベータにおいて、既設の鏡を残したまま鏡枠を取り付けること。【解決手段】  取付部２１と係合部２２とを有する取付器具２０と、アルミシェープからなり、裏面に第１凹部３０と第２凹部３１が形成されたロ字状の鏡枠１０を使用する。そして前記係合部２２が側壁１から立ち上がるように、取付部２１を側壁１と鏡２との間に挿入する。次に第１凹部３０が係合部２２に係合するように、鏡枠１０を鏡２の周辺部に取り付けるものである。【選択図】      図２
2010047362.tif 000002
【特許請求の範囲】
【請求項１】
かご室の側壁に鏡が取り付けられたエレベータにおいて、
取付部と係合部とを有する取付器具と、前記鏡の周辺部を覆う形状をなし、その背面側に、前記係合部に係合するための凹部が形成された鏡枠とを備え、
前記側壁と鏡との間に前記取付部を取り付けた後、前記凹部が前記係合部に係合するように前記鏡枠を前記鏡の周辺部に取り付けた構成であることを特徴とするエレベータの鏡装置。
【請求項２】
前記取付器具は薄板からなり、前記係合部は可撓性を有するとともに、断面山型をなし前記取付部とは鈍角をなして連続するように形成された係止部を備えた形状であり、前記係合部が前記側壁と反対方向を向くように前記取付部を前記側壁と前記鏡との間に挿入する構成であることを特徴とする請求項１に記載のエレベータの鏡装置。
【請求項３】
前記凹部の外側には外周部が形成され、この凹部が前記係合部に係合すると、前記外周部が前記係止部と干渉することによって、鏡枠が前記取付器具に係合する構成であることを特徴とする請求項２に記載のエレベータの鏡装置。
【請求項４】
前記鏡枠の背面側には、前記鏡を前記側壁に固定しているねじなどが干渉しないための凹部が形成されていることを特徴とする請求項１乃至３の何れかに記載のエレベータの鏡装置。
【請求項５】
前記鏡は四角形であり、前記鏡枠はロ字状をなしていることを特徴とする請求項１乃至４の何れかに記載のエレベータの鏡装置。
【請求項６】
前記鏡枠は複数の枠片の端部を互いに突き合わせて一体化したものであることを特徴とする請求項１乃至５の何れかに記載のエレベータの鏡装置。
【請求項７】
前記鏡枠は上部枠片，下部枠片，右部枠片，左部枠片の各枠片からなり、各枠片の両端部は４５度に切断された形状であり、この切断面を互いに突き合わせてロ字状を形成していることを特徴とする請求項６に記載のエレベータの鏡装置。
【発明の詳細な説明】
【技術分野】
【０００１】
本発明は、エレベータのかご室の側壁に取り付けられる鏡の鏡枠に関するものである。
【背景技術】
【０００２】
図５は従来のエレベータのかご室を示す一例であり、１はかご室の側壁、２はねじ２ａによって側壁１に固定された鏡である。この従来例の構成の場合、ねじ２ａが表面から見えるため、デザイン上の観点からねじ２ａが見えないように鏡枠を設ける場合が多い。
【０００３】
図６は、鏡枠を使用した従来例（特許文献１参照）であり、図７は図６のＡ−Ａ断面図である。図において、３は鏡２の枠、３ａは横断面溝形をなす鏡枠３の下片に設けられて鏡枠３の裏側の溝形側壁基部に配置された長穴、４は鏡２の裏面に対向して配置され一側が側壁１に締結され、他側は鏡枠３内に挿入されて鏡枠３に着脱可能に係合された第１金具、５は鏡２の裏面に対向して配置されて一側が側壁１に締結され他側は鏡枠３の長穴３ａに挿通され鏡枠３の下辺内側に重合して配置された第２金具、６は鏡枠３の端面に挿通されて第２金具５にねじ込まれた皿ねじからなる締結子である。
【０００４】
この構成によれば、側壁１に第１，第２金具４，５を締結し、鏡枠３に保持された鏡２が、鏡枠３の上片を第１金具４に係合させ、そして鏡枠３の下片の長穴３ａに第２金具５を挿通させて締結子６で締結することにより、鏡２は側壁１に装着される。
【０００５】
【特許文献１】実開昭５８−１３４３７４号公報
【発明の開示】
【発明が解決しようとする課題】
【０００６】
図５に示したような鏡２をねじ２ａで側壁１に固定するタイプのエレベータにおいては、ねじ２ａが表から見えないように、鏡枠を追加で取り付けたいという要望がある。このような場合、図６，７の構成の鏡枠付鏡をかご室に取り付けるためには、元の鏡を撤去して全面的に取替工事を行う必要があり，時間や費用がかさむという問題があった。
【課題を解決するための手段】
【０００７】
本発明は、かご室の側壁に鏡が取り付けられたエレベータにおいて、取付部と係合部とを有する取付器具と、鏡の周辺部を覆う形状をなし、その背面側に係合部に係合するための凹部が形成された鏡枠とを備え、側壁と鏡との間に前取付部を取り付けた後、前記凹部が係合部に係合するように鏡枠を鏡の周辺部に取り付けたものである。
【０００８】
また、取付器具は薄板からなり、係合部は可撓性を有するとともに、断面山型をなし取付部とは鈍角をなして連続するように形成された係止部を備えた形状であり、係合部が側壁と反対方向を向くように取付部を側壁と鏡との間に挿入する構成である。更に、前記凹部の外側には外周部が形成され、この凹部が前記係合部に係合すると、前記外周部が前記係止部と干渉することによって、鏡枠が取付器具に係合する構成である。更に又、鏡枠の背面側には、鏡を前記側壁に固定しているねじなどが干渉しないための凹部が形成されているものである。
【０００９】
また、前記の鏡は四角形であり、鏡枠はロ字状をなしており、更に鏡枠は複数の枠片の端部を互いに突き合わせて一体化した構成であり、更に又、鏡枠は上部枠片，下部枠片，右部枠片，左部枠片の各枠片からなり、各枠片の両端部は４５度に切断された形状であり、この切断面を互いに突き合わせてロ字状を形成したものである。
【発明の効果】
【００１０】
本発明によれば、図５のような鏡付エレベータかご室の場合、既設の鏡を残したまま鏡枠を取り付けることができる。
【発明を実施するための最良の形態】
【００１１】
本発明の実施の形態を図面を用いて説明する。図１は鏡の正面図であり、図６に相当する図、図２（ｂ）は図１のＢ部詳細図、図２（ａ）は図２（ｂ）から後述の上部枠片等を除去した説明図、図３は取付器具の斜視図である。
【００１２】
図において、１０は鏡枠であり、上部枠片１１，下部枠片１２，右部枠片１３，左部枠片１４の４つのアルミシェープの枠片からなっており、各枠片の両端部は４５度に切断された形状であり、この切断面を互いに突き合わせて溶接しロ字状を形成している。
【００１３】
２０は薄板を折り曲げた取付器具であり、取付部２１と係合部２２を有している。係合部２２は断面山型の係止部２３を有し、この係止部２３は取付部２１から鈍角をなすように連続して形成された可撓性を有する構成である。
【００１４】
鏡枠１０の断面は、図２（ａ）に示すように、係合部２２に係合するための第１凹部３０と、ねじ２ａと干渉しないための第２凹部３１とが形成されている。また側壁１に接する部分には、第１凹部３０を囲うように外周部３２が形成されている。
【００１５】
既設の鏡２に本実施の形態の鏡枠１０を設置するには、まず、かご室の側壁１と鏡２との間に、鏡２の上下左右各辺に１個又は複数個取付器具２０の取付部２１を挿入する。次に、予め溶接固定された鏡枠１０の第１凹部３０が各取付器具２０の係合部２２に係合するように鏡枠１０を側壁１方向に押し付けることにより鏡枠１０の設置が完了する。これにより、鏡枠１０をかご室内側に引っ張っても、係合部２２の係止部２３が外周部３２に干渉するため、鏡枠１０が脱落することはない。
【００１６】
このように、本実施の形態によれば、既設の鏡を残したまま簡単に鏡枠を設置することができる。
また、この実施の形態では、鏡枠１０が不要になったり別の鏡枠に交換する場合には、鏡枠１０を反側壁１方向に強く引けば、外周部３２が係止部２３を乗り越えるため、鏡枠１０を外すことができる。更に本実施の形態は、既設の鏡のみならず新設の鏡に適応することもできる。
【００１７】
次に、図４により本発明の他の実施の形態について説明する。図４は図２に相当する図であり、１５は上部枠片１１の端部に空けられた穴１１ａから右部枠片１３にねじ込まれたねじであり、上部枠片１１と左部枠片１４、及び下部枠片１２と左右枠片１３，１４との間も同じ構成になっている。３３はねじ１５がねじ込まれる穴部であり、左右枠片１３，１４に空けられている。この穴部３３の両端付近にはねじ１５に螺合するためのタップ穴加工がなされている。
【００１８】
既設の鏡２に本実施の形態の鏡枠１０ａを設置するには、まず予め  ねじ１５を穴１１ａ，穴部３３に螺合することにより各枠片１１〜１４を組み立ててロ字状の鏡枠１０ａを製作しておく。次に、かご室の側壁１と鏡２との間に、鏡２の上下左右各辺に１個又は複数個の取付器具２０の取付部２１を挿入する。次に、第１凹部３０が各取付器具２０の係合部２２に係合するように鏡枠１０ａを側壁１方向に押し付ける。これにより、係合部２２の係止部２３が外周部３２に干渉するため、鏡枠１０が脱落することはない。
【００１９】
このように、本実施の形態においても、既設の鏡を残したまま簡単に鏡枠を設置することができる。
この実施の形態では、鏡枠１０ａが不要になったり別の鏡枠に交換する場合には前記の実施の形態と同じく、鏡枠１０ａを反側壁１方向に強く引けば、外周部３２が係止部２３を乗り越えるため、鏡枠１０ａを外すことができる。
また、ねじ１５を外して各枠片１１〜１４を分離すれば、取付器具２０とともに各枠片１１〜１４を鏡２から外すことができる。従って、本実施の形態の場合は、取付器具２０の係止部２３は鏡枠１０ａの反側壁１方向への動きを阻止する構成であっても良い。更に本実施の形態は、既設の鏡のみならず新設の鏡に適応することもできる。
【００２０】
前記の各実施の形態では、鏡２のねじ２ａと干渉しないための第２凹部３１を設けているが、鏡２のねじ２ａが突出していない場合には、第２凹部３１はなくてもよい。更に鏡枠１０はアルミシェープに限ることはない。
また、取付器具２０の係止部２３は鏡枠１０が容易に外れない形状であれば前記実施の形態に限定されることはない。更に鏡２の各辺毎の取付器具２０の設置数は状況に応じて適当数配置すればよい。更に又、鏡２は四角形以外の形状であっても同様に実施できる、
【図面の簡単な説明】
【００２１】
【図１】本発明の実施の形態を示す鏡の正面図である。
【図２】図１のＢ部詳細図及び説明図である。
【図３】取付器具の斜視図である。
【図４】本発明の他の実施の形態を示す図である。
【図５】従来のエレベータのかご室を示す一例である。
【図６】鏡枠を使用した従来例である。
【図７】図６のＡ−Ａ断面図である。
【符号の説明】
【００２２】
１  かご室の側壁
２  鏡
２ａ，１５  ねじ
１０、１０ａ  鏡枠
１１〜１４  枠片
２０  取付器具
２１  取付部
２２  係合部
２３  係止部
３０  第１凹部
３１  第２凹部
３２  外周部
３３  穴部
【図１】
2010047362.tif 000003
【図２】
2010047362.tif 000004
【図３】
2010047362.tif 000005
【図４】
2010047362.tif 000006
【図５】
2010047362.tif 000007
【図６】
2010047362.tif 000008
【図７】
2010047362.tif 000009